(57)【要約】【課題】米飯類食品からの水分によってシート状食品が劣化するのを抑えることができ、剥離可能にシールされた一対の内シート片がより引き離されやすく、より円滑に開封できる米飯加工食品用包装体等の提供を目的とする。【解決手段】米飯加工食品用包装体は、外シートと、外シートに固着された第１の内シート片と第２の内シート片とを含む内シートと、を備え、上記外シートと上記内シートとの間にシート状食品を収容可能であり、上記外シートは、複数の部分に分割可能であり、上記内シートは、第１の内シート片の内辺部と第２の内シート片の内辺部とが合掌状に重ね合わされた重複部を備え、上記重複部において、第１の内シート片の内辺部と第２の内シート片の内辺部とが剥離可能にシールされた三日月状のシール部が複数連続して形成され、上記三日月状のシール部は、両端部が上記重複部の基端縁側に向くように配置されている。【選択図】図２
2018058631.tif 000002
【特許請求の範囲】
【請求項１】
第１の長辺部と、前記第１の長辺部に対向する第２の長辺部とを含む外シートと、
前記第１の長辺部に固着された第１の外辺部と前記第１の外辺部に対向する第１の内辺部とを含む第１の内シート片、および、第２の長辺部に固着された第２の外辺部と前記第２の外辺部に対向する第２の内辺部とを含む第２の内シート片を含む内シートと、を備え、
前記外シートと前記内シートとの間にシート状食品を収容可能であり、
前記外シートは、前記第１の長辺部を含む第１の外シート片および前記第２の長辺部を含む第２の外シート片に分割可能であり、
前記内シートは、前記第１の内辺部と前記第２の内辺部とが合掌状に重ね合わされた重複部を備え、
前記重複部において、前記第１の内辺部と前記第２の内辺部とが剥離可能にシールされた三日月状のシール部が複数連続して形成され、
前記三日月状のシール部は、両端部が前記重複部の基端縁側に向くように配置されている米飯加工食品用包装体。
【請求項２】
シート状食品を更に備え、
前記三日月状のシール部は複数連続してシール条を構成し、
前記シール条は、上記シート状食品と重複する領域の長手方向の全長に亘って連続して形成されている請求項１記載の米飯加工食品用包装体。
【請求項３】
前記外シートと前記内シートとは、全周縁に亘って固着されている請求項１記載の米飯加工食品用包装体。
【請求項４】
前記内シートは、前記重複部を除いた全周縁に亘って、前記外シートに固着されている請求項１記載の米飯加工食品用包装体。
【請求項５】
前記内シートに固着されたエンボスシートを更に備える請求項１記載の米飯加工食品用包装体。
【請求項６】
前記第１の長辺部と前記第２の長辺部とに少なくとも一対の切欠部を備える請求項１記載の米飯加工食品用包装体。
【請求項７】
米飯加工食品用包装体と、
前記米飯加工食品用包装体に包装された米飯類食品と、を備え、
前記米飯加工食品用包装体は、第１の長辺部および前記第１の長辺部に対向する第２の長辺部を含む外シートと、前記第１の長辺部に固着された第１の外辺部と前記第１の外辺部に対向する第１の内辺部とを含む第１の内シート片および第２の長辺部に固着された第２の外辺部と前記第２の外辺部に対向する第２の内辺部とを含む第２の内シート片を含む内シートと、前記外シートと前記内シートとの間に挟まれたシート状食品と、を備え、
前記外シートは、前記第１の長辺部を含む第１の外シート片および前記第２の長辺部を含む第２の外シート片に分割可能であり、
前記内シートは、前記第１の内辺部と前記第２の内辺部とが合掌状に重ね合わされた重複部を備え、
前記重複部において、前記第１の内辺部と前記第２の内辺部とが剥離可能にシールされた三日月状のシール部が複数連続して形成され、
前記三日月状のシール部は、両端部が前記重複部の基端縁側に向くように配置されている包装米飯加工食品。
【請求項８】
前記外シートは、前記第１の長辺部を含む第１の外シート片と、前記第２の長辺部を含む第２の外シート片とに分割可能であり、
前記第１の外シート片は、前記第１の外シート片を前記第２の外シート片よりも先に前記米飯類食品から除去することを促すマークを備え、
前記重複部は、前記重複部の自由端縁が前記第１の外シート片の側に向き、前記重複部の基端縁が前記第２のシート片の側に向くように倒されて配置されている請求項７記載の包装米飯加工食品。
【発明の詳細な説明】
【技術分野】
【０００１】
本発明は、米飯加工食品用包装体および包装米飯加工食品に関する。
【背景技術】
【０００２】
手巻きおにぎりは、おにぎりと海苔シートとを分離包装でき、喫食時に両者を簡単に合体することができる包装体によって包装され、展示販売に供されている。このような包装体としては、長手方向に開封用条体が設けられた略矩形状の外シートと、外シートの少なくとも長辺部に一辺部が接着され、かつその対向辺部が重ね合わされた一対の内シート片からなる内シートとを備えた包装用シートが主に用いられている。手巻きおにぎりは、海苔シートが包装用シートの外シートと内シートとの間に収容され、おにぎりが内シートを挟んで海苔シートと分離して収容された状態で包装されている。
【０００３】
しかし、上記一対の内シート片の対向辺部は重ね合わせられているだけであり、一対の内シート片の重ね合わせ部の隙間からおにぎりの水分が侵入し、海苔シートが湿気やすいという問題がある。また、一対の内シート片の重ね合わされた対向辺部を引き離す際に、強い力が必要とされ、内シート片に不適切な力が加わると、海苔シートが破れたり、おにぎりが割れたりするおそれがある。
【０００４】
このため、特許文献１には、一対の内シート片の重ね合わされた対向辺部を波形状に剥離可能にシールすることによって、おにぎりの水分が海苔シートを湿気らせるのを抑えると共に、対向辺部を引き離しやすくした米飯加工食品用包装体が記載されている。
【先行技術文献】
【特許文献】
【０００５】
【特許文献１】特開２００５−０９５１１１号公報
【発明の概要】
【発明が解決しようとする課題】
【０００６】
しかし、特許文献１の米飯加工食品用包装体において、おにぎりの水分が海苔シートを湿気らせるのを抑える効果を維持しつつ、剥離可能にシールされた一対の内シート片をより引き離されやすくして、一層円滑に開封できるようにすることが求められている。また、米飯加工食品用包装体は、搬送等の際に所望しない段階でシール部の剥離が生じるのを抑えることも要求されている。
【０００７】
したがって、本発明は、米飯類食品からの水分によってシート状食品が劣化するのを抑えることができ、より円滑に開封できると共に、所望しない段階でシール部の剥離が生じるのを抑えることができる米飯加工食品用包装体およびそれを含む包装米飯加工食品の提供を目的とする。
【課題を解決するための手段】
【０００８】
本発明の一実施形態に係る米飯加工食品用包装体は、第１の長辺部と上記第１の長辺部に対向する第２の長辺部とを含む外シートと、上記第１の長辺部に固着された第１の外辺部と上記第１の外辺部に対向する第１の内辺部とを含む第１の内シート片と第２の長辺部に固着された第２の外辺部と上記第２の外辺部に対向する第２の内辺部とを含む第２の内シート片とを含む内シートと、を備える。上記米飯加工食品用包装体は、上記外シートと上記内シートとの間にシート状食品を収容可能であり、上記外シートは、上記第１の長辺部を含む第１の外シート片および上記第２の長辺部を含む第２の外シート片に分割可能である。さらに、上記内シートは、上記第１の内辺部と上記第２の内辺部とが合掌状に重ね合わされた重複部を備える。上記重複部においては、上記第１の内辺部と上記第２の内辺部とが剥離可能にシールされた三日月状のシール部が複数連続して形成され、上記三日月状のシール部は、両端部が上記重複部の基端縁側に向くように配置されている。
【０００９】
これにより、上記米飯加工食品用包装体は、重複部において、上記第１の内辺部と上記第２の内辺部とが剥離可能にシールされた三日月状のシール部が複数連続して形成されているため、おにぎりなどの米飯類食品からの水分が板海苔などのシート状食品に到達しにくくすることができる。
上記三日月状のシール部は、両端部が幅狭であり、該両端部から略中央部に向かって徐々にシール幅が拡がったアーチ状のシール部である。三日月状のシール部は、略中央部に向かって徐々にシール幅を拡げることで、シール面積を確保しているため、搬送等の際に所望しない段階でシール部の剥離が生じるのを抑えることができる。
そして、上記シール部は、上記米飯加工食品用包装体を含む包装米飯加工食品の開封時に、上記重複部の基端縁側に位置する両端部から剥離が開始され、該両端部に挟まれた部分に進んでいく。したがって、該シール部は、剥離開始時の剥離強度を低減することができ、剥離可能にシールされた一対の内シート片を引き離しやすくすることができる。したがって、上記米飯加工食品用包装体は、包装米飯加工食品をより円滑に開封可能にすることができる。
【００１０】
上記米飯加工食品用包装体は、シート状食品を更に備え、上記三日月状のシール部は複数連続してシール条を構成し、上記シール条は、上記シート状食品と重複する領域の長手方向の全長に亘って連続して形成されていてもよい。
これにより、上記米飯加工食品用包装体は、米飯類食品からの水分がシート状食品を湿気らせるのを一層抑えることができる。なお、上記シート状食品と重複する領域とは、米飯加工食品用包装体の平面視において、上記シート状食品と重複する領域を示す。
【００１１】
上記米飯加工食品用包装体は、上記外シートと上記内シートとが、全周縁に亘って固着されていてもよい。
これにより、上記米飯加工食品用包装体は、外部からの水分によってシート状食品が劣化するのを抑えることができる。
【００１２】
上記米飯加工食品用包装体は、上記内シートが、上記重複部を除いた全周縁に亘って上記外シートに固着されていてもよい。
これにより、上記米飯加工食品用包装体は、外部からの水分によってシート状食品が劣化するのを抑えることができると共に、より円滑に開封可能にすることができる。
【００１３】
上記米飯加工食品用包装体は、上記内シートに固着されたエンボスシートを更に備えてもよい。これにより、包装米飯加工食品を開封する場合に、米飯類食品と米飯加工食品用包装体との抵抗感を少なくすることができ、包装米飯加工食品を円滑に開封させることができる。
【００１４】
また、上記米飯加工食品用包装体は、上記第１の長辺部と上記第２の長辺部とに少なくとも一対の切欠部を備えてもよい。
【００１５】
本発明の実施形態に係る包装米飯加工食品は、米飯加工食品用包装体と、上記米飯加工食品用包装体に包装された米飯類食品と、を備える。上記米飯加工食品用包装体は、第１の長辺部および上記第１の長辺部に対向する第２の長辺部を含む外シートと、上記第１の長辺部に固着された第１の外辺部と上記第１の外辺部に対向する第１の内辺部とを含む第１の内シート片および第２の長辺部に固着された第２の外辺部と上記第２の外辺部に対向する第２の内辺部とを含む第２の内シート片を含む内シートと、上記外シートと上記内シートとの間に挟まれたシート状食品と、を備える。該外シートは、上記第１の長辺部を含む第１の外シート片および上記第２の長辺部を含む第２の外シート片に分割可能とされている。そして、該内シートは、上記第１の内辺部と上記第２の内辺部とが合掌状に重ね合わされた重複部を備える。上記重複部においては、上記第１の内辺部と上記第２の内辺部とが剥離可能にシールされた三日月状のシール部が複数連続して形成され、上記三日月状のシール部は、両端部が上記重複部の基端縁側に向くように配置されている。
【００１６】
これにより、上記包装米飯加工食品は、上記第１の内辺部と上記第２の内辺部とが剥離可能にシールされた三日月状のシール部が複数連続して形成されているため、米飯類食品の水分によってシート状食品が劣化するのを抑えることができる。三日月状のシール部は、両端部が幅狭であり、該両端部から略中央部に向かって徐々にシール幅が拡がったアーチ状のシール部である。三日月状のシール部は、略中央部に向かって徐々にシール幅を拡げて、シール面積を確保しているため、搬送等の際に所望しない段階でシール部の剥離が生じるのを抑えることができる。そして、該シール部は、包装米飯加工食品の開封時に、上記重複部の基端縁側に位置する両端部から剥離が開始され、該両端部に挟まれた部分に進んでいく。したがって、該シール部は、剥離開始時の剥離強度を低く抑えることができ、剥離可能にシールされた一対の内シート片を引き離しやすくすることができる。
【００１７】
上記包装米飯加工食品は、上記外シートが、上記第１の長辺部を含む第１の外シート片と、上記第２の長辺部を含む第２の外シート片とに分割可能であり、上記第１の外シート片は、上記第１の外シート片を上記第２の外シート片よりも先に上記米飯類食品から除去することを促すマークを備えてもよい。そして、上記包装米飯加工食品は、上記重複部が、上記重複部の自由端縁が上記第１の外シート片の側に向き、上記重複部の基端縁が上記第２のシート片の側に向くように倒されて配置されてもよい。
【００１８】
これにより、上記包装米飯加工食品は、剥離可能にシールされた一対の内シート片をより引き離しやすくすることができる。
【発明の効果】
【００１９】
本発明は、米飯類食品からの水分によってシート状食品が劣化するのを抑えることができ、より円滑に開封できると共に、所望しない段階でシール部の剥離が生じるのを抑えることが可能な米飯加工食品用包装体およびそれを含む包装米飯加工食品の提供することができる。
【図面の簡単な説明】
【００２０】
【図１】本発明の実施形態に係る包装米飯加工食品を示す斜視図である。
【図２】本発明の実施形態に係る米飯加工食品用包装体の部分破断斜視図である。
【図３】図２の米飯加工食品用包装体の分解斜視図である。
【図４】図２の米飯加工食品用包装体の平面図である。
【図５】図２の米飯加工食品用包装体のＸ−Ｘ断面における断面図である。
【図６】本発明の実施形態の変形例に係る米飯加工食品用包装体の断面図である。
【図７】本発明の実施形態の変形例に係る米飯加工食品用包装体の断面図である。
【図８】本発明の実施形態の変形例に係る米飯加工食品用包装体の平面図である。
【図９】本発明の実施形態の変形例に係る米飯加工食品用包装体の平面図である。
【図１０】本発明の実施形態の変形例に係る米飯加工食品用包装体の平面図である。
【発明を実施するための形態】
【００２１】
図１を参照して、本発明の一の実施形態に係る米飯加工食品用包装体１を含む包装米飯加工食品１００について説明する。なお、本明細書において、長手方向とは、展開状態の米飯加工食品用包装体１の長辺部に沿った方向をいい、短手方向とは、長手方向に交差する方向をいう。米飯加工食品用包装体１の平面視とは、展開状態の米飯加工食品用包装体１を米飯類食品側の表面Ｔに直交する方向から見ることをいう。また、上記実施形態と同一の構成については、上記実施形態と同一の符号を用いることで説明を省略している。
【００２２】
なお、包装米飯加工食品１００としては、パッケージ包装された手巻きおにぎりや包装された手巻き寿司などを挙げることができる。米飯加工食品としては、手巻きおにぎりや手巻き寿司などを挙げることができる。米飯類食品２としては、おにぎり、寿司などを挙げることができる。シート状食品２０としては、吸湿によって湿気る板海苔、とろろ昆布シートやおぼろ昆布シートなどを挙げることができる。米飯類としては、米飯、もち米飯、炊き込みご飯、寿司飯、雑穀飯、玄米飯などを例示することができる。
【００２３】
図１に示すように、包装米飯加工食品１００は、米飯加工食品用包装体１と米飯類食品２とを備えている。米飯加工食品用包装体１は、図２に示すように、外装材となる外シート１０と、海苔などのシート状食品２０と、シート状食品２０と米飯類食品２の間に配置される内シート３０と、を順に備えている。これにより、包装米飯加工食品１００は、米飯類食品２とシート状食品２０とを分けて包装したものとされ、米飯加工食品用包装体１のシート状食品２０以外の部分が除去されると、分離包装されたシート状食品２０と米飯類食品２とを合体させて取り出すことができる。包装米飯加工食品１００は、図１に示すように三角状に包装されていてもよいし、図示しないが四角状に包装されていてもよい。
【００２４】
包装米飯加工食品１００の開封方法を具体的に例示する。包装米飯加工食品１００は、図１に示すノッチ１４を起点として、分割補助条１２に誘導されて、外シート１０が切断される。外シート１０は、第１の外シート片１０ａおよび第２の外シート片１０ｂに二分割された後、第１の外シート片１０ａおよび第２の外シート片１０ｂを相互に離反する矢印Ｙの方向に移動させる。この移動により、第１の外シート片１０ａおよび第２の外シート片１０ｂに伴って、内シート３０（図示せず）も移動され、米飯加工食品用包装体１のシート状食品２０以外の部分が除去される。これにより、シート状食品２０と米飯類食品２とを合体させて、手巻きおむすび等の米飯類食品として取り出すことができる。
【００２５】
次に、図２から図５を参照して、上記米飯加工食品用包装体１について説明する。図２は、米飯加工食品用包装体１の部分破断斜視図である。図３は、図２の米飯加工食品用包装体１の分解斜視図であり、図４は、図２の米飯加工食品用包装体１の平面図であり、図５は、図２の米飯加工食品用包装体１のＸ−Ｘ断面における断面図である。なお、図２には、説明のために、米飯類食品２が米飯加工食品用包装体１上に載置された状態を示している。また、図２には、米飯加工食品用包装体１の層構造の説明のために、内シート３０およびシート状食品２０の一部を切り欠いて示している。また、図３においては、周縁シール部３４を省略して示している。
【００２６】
本実施形態では、図２および３に示すように、米飯類食品側の表面Ｔ側から、内シート３０、シート状食品２０および外シート１０が順に積層された米飯加工食品用包装体１を用いて説明する。米飯加工食品用包装体１は、内シート３０と外シート１０との間に収容されたシート状食品２０を有する。米飯加工食品用包装体１は、内シート３０の米飯類食品側の表面Ｔの側に配置された米飯類食品２を、米飯類食品２とシート状食品２０とが内シート３０によって分離された状態で包装するものである。
【００２７】
外シート１０は、図３に示すように、略矩形状を成しており、第１の長辺部１１ａと、第１の長辺部１１ａに対向する第２の長辺部１１ｂと、第１の長辺部１１ａと第２の長辺部１１ｂを結ぶ短辺部１３ａ，１３ｂとを含んでいる。第１の長辺部１１ａおよび第２の長辺部１１ｂは外シート１０の外周縁の各長縁に沿った部分をいい、短辺部１３ａ，１３ｂは外シート１０の外周の各短縁に沿う部分をいう。図示するように、外シート１０は、各角部が切り欠かれた形状であってもよく、切り欠きが階段状または鋸刃状に形成されていてもよい。外シート１０の形状は、矩形状に限定されず、短手方向の幅が部分的に狭められた形状であってもよい。
【００２８】
外シート１０は、第１の長辺部１１ａを含む第１の外シート片１０ａ、および、第２の長辺部１１ｂを含む第２の外シート片１０ｂに分割可能に設けられている。外シート１０には、第１の外シート片１０ａおよび第２の外シート片１０ｂへの分割を誘導する分割補助条１２およびノッチ１４の少なくとも一方を備えてもよい。分割補助条１２としては、カットテープ、ミシン目やハーフカットが例示される。例えば、分割補助条１２は、第１の外シート片１０ａと第２の外シート片１０ｂとの間に直線状、波形状や鋸刃状に形成されている。分割補助条１２は一条または複数条で構成されてもよい。ノッチ１４は、外シート１０の端部または端部近傍に開封起点として形成されている。図示する例では、ノッチ１４は、分割補助条１２の端部に位置する外シート１０を一部切断することで形成されたものである。
【００２９】
外シート１０の材質としては、樹脂フィルム、紙と樹脂フィルムとの積層シート、金属箔と樹脂フィルムの積層シートなどを例示することができる。外シート１０には、ラベルやシールが貼着されていてもよいし、印刷が施されていてもよい。
【００３０】
内シート３０は、外シート１０と共に、少なくともシート状食品２０を包装するものである。内シート３０は、展開状態における外シート１０に対向する最外層、かつ、包装状態における最内層として、米飯類食品に米飯類食品側の表面Ｔが当接するように配置されていてもよい。内シート３０は、略矩形状を成しており、内シート３０の短手方向に並列して設けられた第１の内シート片３０ａと第２の内シート片３０ｂとを備えている。第１の内シート片３０ａは、外シート１０の第１の長辺部１１ａに固着された第１の外辺部３７ａと、第１の外辺部３７ａに対向する第１の内辺部３３とを備えている。第２の内シート片３０ｂは、外シート１０の第２の長辺部１１ｂに固着された第２の外辺部３７ｂと、第２の外辺部３７ｂに対向する第２の内辺部３５とを備えている。第１の外辺部３７ａ、第１の内辺部３３、第２の外辺部３７ｂおよび第２の内辺部３５は、第１の内シート片３０ａおよび第２の内シート片３０ｂの外周の各長縁に沿った部分をいう。第１の内シート片３０ａおよび第２の内シート片３０ｂは、外シート１０に接着や溶着などの公知の方法により固着されている。
【００３１】
内シート３０の材質としては、樹脂フィルム、紙と樹脂フィルムとの積層シート、金属箔と樹脂フィルムの積層シートなどを例示することができる。図３に示すように、内シート３０は、各角部が切り欠かれた形状であってもよく、切り欠きが階段状または鋸刃状に形成されていてもよい。内シート３０の形状は、矩形状に限定されず、短手方向の幅が部分的に狭められた形状であってもよい。
【００３２】
内シート３０には、図５などに示すように、第１の内辺部３３と第２の内辺部３５とが合掌状に重ね合わされた重複部３１が設けられている。内シート３０の重複部３１には、図４に示すように、第１の内辺部３３と第２の内辺部３５とが剥離可能にシールされた三日月状のシール部３２が複数連続して形成されている。三日月状のシール部３２は、その両端部３２ｅが重複部３１の基端縁３１ｂ側に向くように、かつ、該両端部３２ｅに挟まれた略中央部３２ｗが重複部３１の自由端縁３１ｆ側に向くように配置されている。
【００３３】
これにより、米飯加工食品用包装体１は、第１の内辺部３３と第２の内辺部３５とが単に重複配置されているのみの包装体と比較して、おにぎりなどの米飯類食品２からの水分によってシート状食品が劣化するのを抑えることができる。なお、上記劣化には、シート状食品２０が湿気った状態に変化すること、または、変質すること等が含まれる。三日月状のシール部３２は、両端部３２ｅが幅狭であり、該両端部３２ｅから略中央部３２ｗに向かって徐々にシール幅が拡がって、両端部３２ｅに挟まれた略中央部３２ｗが該両端部３２ｅよりも幅広であるアーチ状のシール部である。三日月状のシール部３２は、略中央部３２ｗに向かって徐々にシール幅を拡げて、シール面積を確保しているため、搬送等の際に所望しない段階でシール部３２の剥離が生じるのを抑えることができる。そして、米飯加工食品用包装体１を含む包装米飯加工食品１００の開封時に、三日月状のシール部３２は、重複部の基端縁３１ｂ側に位置する両端部３２ｅから剥離が開始され、該両端部３２ｅに挟まれた部分に剥離が進んでいく。したがって、三日月状のシール部３２は、剥離開始時の剥離強度を低く抑えることができ、剥離可能にシールされた一対の内シート片３０ａ，３０ｂを引き離しやすく、包装米飯加工食品１００をより円滑に開封可能にすることができる。
【００３４】
三日月状のシール部３２は、第１の内辺部３３と第２の内辺部３５とをシールできる公知の方法によって形成される。例えば、シール部３２は、第１の内辺部３３と第２の内辺部３５とを接着する接着材で形成されてもよいし、第１の内辺部３３と第２の内辺部３５との少なくとも一部を公知の溶着方法によって溶着することによって形成されてもよい。接着材としては、公知の接着性物質を印刷等して形成することができる。例えば、接着材には、パートコート用の感熱接着剤や食用接着性物質などを用いることができる。この食用接着性物質としては、米ぬか油からなるインキであるライスインキ（登録商標）、米などを原料とする天然糊等を用いることができる。溶着方法としては、熱溶着や超音波溶着等を例示することができる。
【００３５】
三日月状のシール部３２は、図４に示すように、複数連続してシール条３６を構成している。平面視において、シール条３６は、少なくともシート状食品２０と重複する領域の長手方向の全長に亘って連続して形成されていてもよい。更に、シール条３６は、図４に示すように、シート状食品２０と重複する領域の全長を超えて、重複部３１の長手方向の全長に亘って形成されていてもよい。
これにより、米飯加工食品用包装体１は、米飯類食品２からの水分によって、シート状食品２０が劣化されるのを一層抑えることができる。
【００３６】
米飯加工食品用包装体１は、図５に示すように、重複部３１が、内シート３０のうち、米飯類食品側の表面Ｔ側に配置されていてもよい。これにより、重複部３１がシート状食品側の表面Ｎ側に配置されている場合よりも、米飯加工食品用包装体１を開封する際の開封強度をより低く抑えることができる。これは、重複部３１による段差により、米飯類食品２と内シート３０との密着性が若干低減されているためと考えられる。
【００３７】
米飯加工食品用包装体１は、図４に示すように、内シート３０が、重複部３１を除いた全周縁に亘って外シート１０に固着されて形成された周縁シール部３４を有してもよい。これにより、米飯類食品２からの水分によって、シート状食品２０が劣化されるのを抑えることができると共に、円滑に開封可能とされる。
【００３８】
包装米飯加工食品１００は、図１に示すように、米飯加工食品用包装体１のシート状食品２０以外の部分中、第１の外シート片１０ａの側（Ａ側）を第２の外シート片１０ｂの側（Ｂ側）よりも先に米飯類食品２から除去することを促すマーク１６ｂ，１６ｃを外シート１０に備えてもよい。
【００３９】
そして、包装米飯加工食品１００は、図６に示すように、重複部の自由端縁３１ｆが、米飯加工食品用包装体１のシート状食品２０以外の部分中、先に除去されるように促されたＡ側、すなわち第１の外シート片１０ａの側に向き、重複部の基端縁３１ｂが、Ａ側よりも後に除去されるように促されたＢ側、すなわち上記第２のシート片１０ｂの側に向くように、米飯加工食品用包装体１の重複部３１が倒されて配置されてもよい。これにより、包装米飯加工食品１００は、剥離可能にシールされた一対の内シート片３０ａ，３０ｂをより引き離しやすくすることができる。
【００４０】
また、包装米飯加工食品１００は、図１に示すように、米飯加工食品用包装体１のシート状食品２０以外の部分を除去するよりも先に、第１の外シート片１０ａと第２の外シート片１０ｂとを分割することを促すマーク１６ａを備えてもよい。
【００４１】
次に、上記実施形態に係る包装米飯加工食品１００および米飯加工食品用包装体１の変形例について説明する。
【００４２】
（変形例１）
包装米飯加工食品１００は、図１および図６に示すように、重複部の基端縁３１ｂが、米飯加工食品用包装体１のシート状食品２０以外の部分中、先に除去されるように促されたＡ側、すなわち第１の外シート片１０ａの側に向くように倒され、重複部の自由端縁３１ｆが、Ａ側よりも後に除去されるように促されたＢ側、すなわち第２の外シート片１０ｂの側に向くように、重複部３１の配置を変更してもよい。
【００４３】
（変形例２）
米飯加工食品用包装体１は、図７に示すように、重複部３１が、内シート３０のうち、シート状食品側の表面Ｎ側に配置されるように、重複部３１の配置を変更してもよい。
【００４４】
（変形例３）
米飯加工食品用包装体１は、図８に示すように、外シート１０と内シート３０とは、全周縁に亘って固着された周縁シール部３４ａを有していてもよい。これにより、上記米飯加工食品用包装体１は、更に、外部からの水分によって、シート状食品２０が劣化されるのを抑えることができる。
【００４５】
（変形例４）
米飯加工食品用包装体１は、図９に示すように、内シート３０に固着されたエンボスシート４０を更に備えてもよい。エンボスシート４０は、米飯類食品２に対する米飯加工食品用包装体１の接触面に配置されていることが好ましい。これにより、包装米飯加工食品１００を開封する場合に、米飯類食品２と米飯加工食品用包装体１との抵抗感を少なくすることができ、包装米飯加工食品１００を円滑に開封させることができる。
【００４６】
（変形例５）
米飯加工食品用包装体１は、図１０に示すように、外シート１０の第１の長辺部１１ａと第２の長辺部１１ｂとに少なくとも一対の外シート切欠部１８を備えてもよい。米飯加工食品用包装体１を立体化して、包装米飯加工食品１００を形成する際に外シート１０が重複した余剰分を切り欠いて切欠部１８を形成してもよい。なお、内シート３０の対応する位置にも、図１０に示すように、内シート切欠部を備えてもよい。
【００４７】
なお、本発明の技術範囲は上記の実施形態および変形例に限定されるものではなく、本発明の趣旨を逸脱しない範囲において種々の変更を加えることが可能である。例えば、上記の実施形態では、米飯加工食品用包装体１は、外シート１０、シート状食品２０および内シート３０を備える例を説明したが、それらの間に更に他のシートを含んでもよい。
【００４８】
また、上記実施形態においては、米飯加工食品用包装体１として、内シート３０、シート状食品２０および外シート１０が順に積層されたものを用いて説明したが、内シート３０および外シート１０とを備え、シート状食品２０を備えないものであってもよい。
【００４９】
上記実施形態においては、外シート１０は、第１の外シート片１０ａおよび第２の外シート片１０ｂに二分割される例を示したが、さらに多くの外シート片に分割されるものであってもよい。
【００５０】
上記実施形態においては、内シート３０は、第１の内シート片３０ａおよび第２の内シート片３０ｂに分割される例を示したが、さらに多くの内シート片に分割されるものであってもよい。
【符号の説明】
【００５１】
１  米飯加工食品用包装体
２  米飯類食品
１０  外シート
１０ａ  第１の外シート片
１０ｂ  第２の外シート片
１１ａ  第１の長辺部
１１ｂ  第２の長辺部
１８  切欠部
２０  シート状食品
３０  内シート
３０ａ  第１の内シート片
３０ｂ  第２の内シート片
３１  重複部
３１ｂ  重複部の基端縁
３１ｆ  重複部の自由端縁
３２  三日月状のシール部
３２ｅ  三日月状のシール部の両端部
３２ｗ  三日月状のシール部の略中央部
３３  第１の内辺部
３４，３４ａ  周縁シール部
３５  第２の内辺部
３６  シール条
３７ａ  第１の外辺部
３７ｂ  第２の外辺部
４０  エンボスシート
包装米飯加工食品１００
Ｔ  米飯類食品側の表面
Ｎ  シート状食品側の表面
【図１】
2018058631.tif 000003
【図２】
2018058631.tif 000004
【図３】
2018058631.tif 000005
【図４】
2018058631.tif 000006
【図５】
2018058631.tif 000007
【図６】
2018058631.tif 000008
【図７】
2018058631.tif 000009
【図８】
2018058631.tif 000010
【図９】
2018058631.tif 000011
【図１０】
2018058631.tif 000012